【事件の表示】
　特願２０１４−５１２０９８「オンラインビデオに関連する情報の決定」拒絶査定不服審判事件〔平成２４年１１月２９日国際公開、ＷＯ２０１２／１６２４７５、平成２６年　８月　７日国内公表、特表２０１４−５１９２７７、請求項の数（２１）〕について、次のとおり審決する。
【結　論】
　原査定を取り消す。
　本願の発明は、特許すべきものとする。
【理　由】
第１．手続の経緯
　本願は、２０１２年（平成２４年）５月２４日（パリ条約による優先権主張外国庁受理２０１１年５月２５日、中国、２０１２年５月２３日、米国）を国際出願日とする出願であって、平成２６年３月１８日付けで手続補正がなされ、平成２６年１２月２日（起案日）付けで拒絶の理由が通知され、それに応答して平成２７年３月２日付けで手続補正がなされたが、平成２７年３月２３日（起案日）付けで拒絶査定がなされた。
　これに対し、平成２７年７月２４日に拒絶査定不服審判が請求されるととともに、同時に手続補正がなされたものである。
第２．平成２７年７月２４日付けの手続補正（以下、「本件補正」という。）の適否
１．補正の内容
　本件補正は、独立請求項１，１３，２１について、次のように補正するものである（アンダーラインは補正箇所）。
（補正前）
【請求項１】
　ストリーミングビデオに関連する情報を決定するためのシステムであって、
　プロセッサであって、
　　前記ストリーミングビデオに関連する特徴フレームにおけるトリガポイントに関するユーザ選択を受信し、前記トリガポイントは、選択された時に前記ビデオの上に情報を表示させるよう構成された選択可能な要素を含み、前記特徴フレームは、少なくとも前記トリガポイントに関連付けられている前記ビデオ内のフレームを含み、
　　前記トリガポイントに関連付けられている前記ユーザ選択に応答して、
　　　前記ストリーミングビデオを一時停止させ、
　　　前記トリガポイントに関連付けられている事前設定されたメタデータのセットを取り出し、
　　　特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行し、
　　前記１または複数の検索結果を含むポップアップレイヤを提示するように構成されているプロセッサと、
　前記プロセッサに接続され、前記プロセッサに命令を提供するよう構成されているメモリと、
を備える、システム。
【請求項１３】
　ストリーミングビデオに関連する情報を決定するための方法であって、
　前記ストリーミングビデオに関連する特徴フレームにおけるトリガポイントに関するユーザ選択を受信し、前記トリガポイントは、選択された時に前記ビデオの上に情報を表示させるよう構成された選択可能な要素を含み、前記特徴フレームは、少なくとも前記トリガポイントに関連付けられている前記ビデオ内のフレームを含み、
　前記トリガポイントに関連付けられている前記ユーザ選択に応答して、
　　前記ストリーミングビデオを一時停止させ、
　　前記トリガポイントに関連付けられている事前設定されたメタデータのセットを取り出し、
　　特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行し、
　前記１または複数の検索結果を含むポップアップレイヤを提示すること、
を備える、方法。
【請求項２１】
　ストリーミングビデオに関連する情報を決定するためのコンピュータプログラムであって、
　前記ストリーミングビデオに関連する特徴フレームにおけるトリガポイントに関する選択を受信するための機能と、前記トリガポイントは、選択された時に前記ビデオの上に情報を表示させるよう構成された選択可能な要素を含み、前記特徴フレームは、少なくとも１つのトリガポイントに関連付けられている前記ビデオ内のフレームを含み、
　前記トリガポイントに関連付けられている前記ユーザ選択に応答して、
　　前記ストリーミングビデオを一時停止させるための機能と、
　　前記トリガポイントに関連付けられている事前設定されたメタデータのセットを取り出すための機能と、
　　特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行するための機能と、
　前記１または複数の検索結果を含むポップアップレイヤを提示するための機能と、
をコンピュータによって実現させるコンピュータプログラム。
（補正後）
【請求項１】
　ストリーミングビデオに関連する情報を決定するためのシステムであって、
　プロセッサであって、
　　前記ストリーミングビデオに関連する特徴フレームに
埋め込まれている
ストリーミング
前記トリガポイントは、前記ストリーミングビデオ内に表示される商品に関連付けられるように前記特徴フレームに埋め込まれており、
ストリーミング
　　前記トリガポイントに関連付けられている前記ユーザ選択に応答して、
　　　前記ストリーミングビデオを一時停止させ、
　　　前記トリガポイントに関連付けられている事前設定されたメタデータのセットを取り出し、
　　　特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行し、
　　前記１または複数の検索結果を含むポップアップレイヤを提示するように構成されているプロセッサと、
　前記プロセッサに接続され、前記プロセッサに命令を提供するよう構成されているメモリと、
を備える、システム。
【請求項１３】
　ストリーミングビデオに関連する情報を決定するための方法であって、
　前記ストリーミングビデオに関連する特徴フレームに
埋め込まれている
ストリーミング
前記トリガポイントは、前記ストリーミングビデオ内に表示される商品に関連付けられるように前記特徴フレームに埋め込まれており、
ストリーミング
　前記トリガポイントに関連付けられている前記ユーザ選択に応答して、
　　前記ストリーミングビデオを一時停止させ、
　　前記トリガポイントに関連付けられている事前設定されたメタデータのセットを取り出し、
　　特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行し、
　前記１または複数の検索結果を含むポップアップレイヤを提示すること、
を備える、方法。
【請求項２１】
　ストリーミングビデオに関連する情報を決定するためのコンピュータプログラムであって、
　前記ストリーミングビデオに関連する特徴フレームに
埋め込まれている
ストリーミング
前記トリガポイントは、前記ストリーミングビデオ内に表示される商品に関連付けられるように前記特徴フレームに埋め込まれており、
ストリーミング
　前記トリガポイントに関連付けられている前記ユーザ選択に応答して、
　　前記ストリーミングビデオを一時停止させるための機能と、
　　前記トリガポイントに関連付けられている事前設定されたメタデータのセットを取り出すための機能と、
　　特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行するための機能と、
　前記１または複数の検索結果を含むポップアップレイヤを提示するための機能と、
をコンピュータによって実現させるコンピュータプログラム。
　本件補正は、以下に示す補正事項を有している。
（１）補正事項１
　独立請求項１，１３，２１において、「特徴フレームにおけるトリガポイント」を「特徴フレームに
埋め込まれている
（２）補正事項２
　独立請求項１，１３，２１において、「前記ビデオ」を「前記
ストリーミング
（３）補正事項３
　独立請求項１，１３，２１において、「
前記トリガポイントは、前記ストリーミングビデオ内に表示される商品に関連付けられるように前記特徴フレームに埋め込まれており、
２．補正の適否の判断
（１）補正の目的、範囲及び単一性について
　本件補正の補正事項１及び補正事項３は、請求項に記載した発明を特定するために必要な事項である「トリガポイント」についての態様の限定を付加するものあって、補正前の請求項に記載された発明と補正後の請求項に記載された発明の産業上の利用分野及び解決しようとする課題が同一であるから、特許法第１７条の２第５項第２号の特許請求の範囲の減縮を目的とするものに該当する。
　本件補正の補正事項２は、請求項において「前記ビデオ」という記載の前段に「ビデオ」という記載はなく、「ストリーミングビデオ」という記載があるのみであるから、誤記の訂正を目的とするものであることは明らかであり、特許法第１７条の２第５項第３号に該当する。
　本件補正の補正事項１及び３は、願書に最初に添付した明細書の段落００１８，００２１ないし００２３の記載に基づくものであり、本件補正の補正事項２は、願書に最初に添付した明細書の記載に基づくものであることは明かである。よって、本件補正は、特許法第１７条の２第３項に規定される願書に最初に添付した明細書、特許請求の範囲又は図面に記載した事項の範囲内においてするものである。
　上記各補正事項は、特許請求項の範囲の減縮、又は誤記の訂正を目的とする補正であり、補正前の各発明と補正後の各発明とは、特許法第１７条の２第４項に規定される発明の単一性の要件に適合するものである。
　よって、本件補正は、特許法第１７条の２第３項ないし第５項に違反するところはない。
（２）独立特許要件について
　以上のように、本件補正は特許請求の範囲の減縮を目的とする補正事項を含むものであるから、本件補正後の請求項１ないし２１（補正された独立請求項１，１３，２１、請求項１を引用する請求項２ないし１２、及び、請求項１３を引用する請求項１４ないし２０）に記載された発明（以下、本件補正後の各請求項に記載された発明を、それぞれ、「補正発明１」、「補正発明２」、・・・などという。）が特許法第１７条の２第６項において準用する同法第１２６条第７項の規定に適合するか（特許出願の際独立して特許を受けることができるものであるか）について以下に検討する。
（２−１）補正発明１について
ア．引用文献の記載事項
（ア）原査定の拒絶の理由に引用された引用文献１である特開２０１０−２００１７０号公報には、「画像情報提供システム、画像情報提供方法、および画像情報提供プログラム」（発明の名称）に関し、図面と共に次に掲げる事項が記載されている。
【００１５】
　本実施形態である画像情報提供システムは、図１に示すように、テレビ番組映像を配信する基地局５と、基地局５から送られたテレビ映像情報を記憶保持するデータベースサーバ(番組映像記憶装置)１と、データベースサーバ１に記憶されたテレビ映像情報から、ネットワークを介して送り込まれたリクエストに応じて画像情報(画像フレーム)を取得するサーバ(映像物特定装置)２と、テレビ映像情報に含まれる映像物に対応して記憶された映像物情報を記憶するデータベース(映像物情報記憶装置)３と、基地局５から放送されたテレビ映像情報を出力表示すると共に、サーバ２に対して映像物情報の要求(リクエスト)を行うインターネット接続可能なテレビ映像受信端末４を備えた構成となっている。
【００１６】
　これにより、ユーザは、テレビ映像受信端末４を利用して、番組閲覧中に選択指定した任意の映像物にかかる情報(オブジェクト情報)を取得することができる。
【００１８】
　尚、データベースサーバ１、サーバ２、データベースサーバ３、およびテレビ映像受信端末４はそれぞれ、ハードディスクドライブ(ＨＤ)、ＤＶＤ−ＲＡＭなどの大容量記録媒体、およびＲＡＭ、およびＲＯＭと、ＣＰＵ(Central Processing Unit)などのいわゆる中央処理演算装置とを備え、この中央演算処理装置が予め設定されたプログラムに基づく処理を行うことにより、各種動作機能を実現する。
【００２２】
　また、サーバ２は、テレビ映像受信端末４から受信した年月日情報、時間情報、チャンネル情報に基づき、データベースサーバ1から該当する番組の該当する時間帯のフレーム画像(以下「フレーム」という)を取得するフレーム画像特定取得機能を備えている。
　尚、このフレームとは映像(動画)を構成するフレーム画像群を示し、３０フレームで１秒分の動画が構成されているものとする。また、サーバ２からデータベースサーバ１に対する一度の要求に対して取得するフレーム数は、デフォルトで、時間情報±１．５秒分の計３秒、９０フレームとする。
【００２３】
　更に、サーバ２は、テレビ映像受信端末４から受信した位置時間情報に基づきデータベースサーバ1から取得したフレームのトリミングを行いフレーム画像の一部を切り出す画像切出し機能を有する。
　これにより、比較する画像の範囲を切り出された画像の範囲内に限定することができ、画像識別やオブジェクト抽出の精度を向上させると共に、処理を迅速化することができる。
【００２４】
　尚、本実施形態のサーバ２では、図４に示すように、テレビ映像受信装置４から受信した位置情報(Ｘ値，Ｙ値)を基点に、Ｘ方向に±０．１５、Ｙ方向に±０．１の領域で上記画像切出し機能を実施するものとする。このトリミング操作は取得した全フレームそれぞれで実行されるものとする。
【００２６】
　また、サーバ２は、候補として保存されたフレームのトリミング前のフレームを取得し、背景とオブジェクトの判別を行い、トリミング範囲(位置情報を基点としたＸ±０．１５かつＹ±０．１の画像)内に含まれるオブジェクトを候補オブジェクトとして抽出する候補オブジェクト抽出機能を備えている。
【００２９】
　また、サーバ２は、テレビ映像受信端末４から受信したオブジェクト指定の行われた年月日情報、時間情報(時刻情報)、チャンネル情報をキーとした番組割り出し要求をデータベースサーバ３に送信する番組割出要求送信機能を有する。
【００３０】
　更に、サーバ２は、データベースサーバ３から送り込まれた照合結果(オブジェクト候補リスト)を、リクエスト結果としてテレビ映像受信端末４に対して送信するリクエスト結果送信機能を備えている。
【００３１】
　これにより、番組閲覧中のユーザは、インターネット接続可能なテレビ映像受信端末を利用して、テレビ画面に表示された任意のオブジェクト(映像物)を選択指定し、サーバ側で選択指定されたオブジェクトに係るオブジェクト情報を特定して、このオブジェクト情報をテレビ画面に出力表示させることができる。
【００４０】
　テレビ映像受信端末４は、インターフェイス上に表示されたテレビ番組映像中における映像物(以下「オブジェクト」という)が指定された場合に、指定された時点の年月日情報、時間情報、チャンネル情報と、画面上における指定部位を示す位置情報を含む位置時間情報がオブジェクト要求として、インターネットを介してサーバ２に送信する。
（イ）同じく、原査定の拒絶の理由に引用された引用文献２である特開平７−３２１７４８号公報には、「ビデオ・オン・デマンド・システム」（発明の名称）に関し、図面と共に次に掲げる事項が記載されている。
【００１０】図１の詳細について説明すると、まずＶＯＤシステムのセンタ側（例えばＣＡＴＶ事業者）の構成要素は、自主番組を作成し送出するスタジオ設備１０１、衛星放送（例えば、移動撮影車、ＮＨＫのＢＳ、ＣＳ、香港のスターライトネットワーク等）を受信する放送受信設備１０２、センタの館内電話を扱う電話交換機１０３、動画の取り扱いを行なう動画入力システム１０、動画サーバ１１とその動画サーバにＬＡＮ接続され、動画の引き出しや加工といった分散オーサリングをするワークステーション（ＷＳ）１０４、コンピュータグラフィックス（ＣＧ）用のグラフィックワークステーション（ＧＷＳ）１０５並びにこれら（１０、１１、１０１〜１０５）の外部との通信制御を行なうマルチメディア統合化ノード１２、通信状況を監視する監視システム１０６から成る。この統合化ノード１２により通信業者がサポートする広域ネットワーク１１０（ＡＴＭ、ＳＤＩあるいはＩＳＤＮ）と接続され、外部機関のＣＭ提供機関システム１１２や電子ショッピングに必要とする流通機関システム１１３、金融機関システム１１４と接続され、各種機関の相互間や、各種機関と視聴者宅との相互間で必要とするデータのやりとりを行なう。更に、視聴者側では、ネットワークの終端装置１１５を介してインタラクティブＴＶ１１６、パーソナルコンピュータ１１７、電話１１８と接続される。
【００１２】　・・・（中略）・・・　このとき、番組映像とその番組中に対応するＣＭとの対応関係は、ビデオサ−バ１１の管理テーブルにて管理される。
【００１３】この管理テーブルの構成（メモリマップ）例を図３に示す。まず、番組１番の格納先（ディスクアレイ２３、ＭＯディスクライブラリ２４の割付け）アドレスを示すアドレス（ヘッダー）情報は３１にストアされ、その番組中で関連するＣＭ（衣裳協力、美術協力等のスポンサーＣＭ）とホームショッピング画面の格納先を示すアドレス情報は３２、３３にストアされる。さらに、番組ｐ番は同様に３４、３５、３６に番組のアドレス、ＣＭのアドレス、ホームショッピング画面のアドレスを登録しておく。
【００１４】さらに、番組映像の１フレーム（１画面のことをフレームと呼び、ＴＶでは１秒間に３０フレームからなっている）のＣＭ対象物とそのＣＭ種別との対応をつける関連テーブルの構成（メモリマップ）の例を図４に示す。まず、フレーム１番３１０の一つあるいは複数の表示物でＣＭ可能なもの、即ち詳細情報をながすことができるものを指定するため、ＴＶ画面上での４隅の座標位置をエリア３１１、３１３を登録しておき、この領域３１１、３１３内で関連する複数のＣＭ種別をエリア３１１、３１２、３１４に登録しておく。同様にフレームｎ番３１５内でＣＭ可能な一つあるいは複数の表示物の４隅の座標位置をエリア３１６に登録し、関連するＣＭ種別をエリア３１７に登録しておく。
【００２６】以上の図１〜９の構成、処理により実現されるインタラクティブＴＶシステム（インタラクティブＴＶ１１６、パソコン１１７）を図１０を用いて説明する。まず画面９１は、ＣＡＴＶでＶＯＤの映画番組や映画ビデオ等の番組の選択画面例である。これは、予め図１のセンタから番組メニューの映像データが、ビデオサーバ１１からネットワーク１１０を経由してインタラクティブＴＶシステムのメモリ４５へ配信／蓄積されており、これをフレームメモリ４１を介してＴＶ１１６へ画面出力することにより選択画面が表示される。ここでドラマの部分をマウスで指定する（ビットマップ４１上の座標位置算出）と、制御部４４より宛先指定（インタラクティブＴＶ１１６の機器ＩＤ番号）情報ならびに指定番組番号（ビットマップ４１上の座標位置算出結果）がセンタへ送信される。これらの情報によりセンタは図３で説明したアドレステーブル（３１、３１０、３１１、３２、３２０、３２１）を基に番組映像データ並びにその番組に関連するＣＭ映像データ、ホームショピング映像データをディスクアレイ２３、ディスクライブラリ２４より抽出し、ビデオサーバ１１により送付先インタラクティブＴＶシステムに映像データ伝送する。これらの映像データは、インタラクティブＴＶシステムのメモリ４５に図８と同様の処理でデ−タ圧縮蓄積され、そして図９と同様の処理でドラマの放映（画面９２）がインタラクティブＴＶ１１６にされる。さらにメモリ４５には番組映像とその番組映像と一緒に転送されてきた関連ＣＭ映像、ホームショピング映像との管理テーブル（図３と同様な構造の管理テ−ブル）もセンタからコピーして送られ、インタラクティブＴＶシステムのメモリ４５にあったアドレスを入れて構築する。このとき繰り返しになるが番組並びに関連するＣＭ映像デ−タ、ホ−ムショピング映像の全てがインタラクティブＴＶシステムのメモリ４５にデ−タ圧縮蓄積されている。
【００２８】この表示画面９２上のドラマで出演者の洋服（ジャケット）が気に入り、その詳細を知るために、その洋服をマウスで指定する。ここで、動画上でマウスで指定された箇所／場所（洋服）を検出する方法について説明する。インタラクティブＴＶ１１６へ動画出力するためには図５のフレームメモリ４１を経由して行なう。このとき、フレームメモリ４１の一枚々について見れば、動画ではなく静止画である。そのため、この静止画におけるマウスの指定位置は一般に行なわれているフレームメモリ４１のビットマップ座標位置として検出される。そこで、図４に示すと同様の管理テーブルにより、表示フレーム（例えばフレーム３１０）内でマウスにより指定された座標位置がどのＣＭ対象物領域かを判定する。これにより、この時のＣＭ対象をテーブルから参照する。例えば洋服の位置が指されると、図４の３１１の座標であり、ＣＭ種別１１１：ジャケット、ＣＭ種別１１２：ネクタイ、ＣＭ種別１１３：ズボンが指定されており、その指定により洋服のＣＭ（説明）画面９３にかわる。これは、図４の管理テーブルと同様な管理テーブルでその映像が蓄積されたメモリ４５のアドレスを得てメモリ４５よりＣＭ映像データを、図９と同様の処理によりインタラクティブＴＶ１１６へ動画出力する。この時、ＣＭはドラマの画面とは別にドラマを中断して流し（表示フレームメモリ４１全域のビットマップデータをＣＭデータに置き換え）ても構わないし、元のドラマの一部分にウインドウ表示（表示フレームメモリ４１の一部領域のビットマップデータをＣＭデータに置き換え）させてもいい。このことにより、ＣＭでは出演者の洋服のジャケット、ネクタイ、ズボンの説明を画面９３で行う。この画面９３でジャケットを選択すると、ジャケットを選択したことにより、ジャケット柄の選択画面９４となる。これは、前述のマウス選択の検出とＣＭ映像再生と同様の処理により行なわれる。ここで、このジャケットを自分が着るとどういった感じになるかのシミュレーション９５（画面上のジャケットに自分の顔、体型を当てはめる）を行なう。このシミュレーションは、図６、７の処理による自分の容姿の蓄積／再生により行なわれる。
（ウ）同じく、原査定の拒絶の理由に引用された引用文献３である特開２００８−１１６９７０号公報には、「画像表示方法および画像表示用プログラム」（発明の名称）に関し、図面と共に次に掲げる事項が記載されている。
【００１２】
　新聞紙面を閲覧する場合のＷｅｂブラウザ１２とＷｅｂサーバ１０との間の通信のやり取りを図３に示す。閲覧者がＷｅｂブラウザ１２からＷｅｂサーバ１０に○月○日付の○○新聞の○刊（朝刊または夕刊）を閲覧する旨の指示をすると、該当する内容のＨＴＭＬを要求する指示が出される（Ｓ１）。Ｗｅｂサーバ１０はこの要求を受けて、図４に示す、分割画像データを当てはめる６×６個のセルを設定する＜ＤＩＶ＞タグ、および、どの分割画像をどのセルに当てはめてブラウザ上のどの位置に表示するかを算出するためのJavaScriptを含んだＨＴＭＬをＷｅｂブラウザに返す（Ｓ２）。なお、６×６個のセルには、図４に示すように、「canvas００００」〜「canvas０５０５」の名前が付けられている。「canvas」に続く４桁の数字のうち、最初の２桁はブロック内でのセルのＸ軸方向の番地（００〜０５）を示し、それに続く残りの２桁はブロック内でのセルのＹ軸方向の番地（００〜０５）を示す。
【００１３】
　Ｗｅｂブラウザ１２は、ＨＴＭＬを受け取ると、該ＨＴＭＬに記述されているJavaScriptに基づき、各セルにどの分割画像を当てはめるかおよび各セルに当てはめられた分割画像をブラウザ１２上のどの位置に表示するかを算出する。そして、算出された分割画像がＷｅｂブラウザ１２に既にダウンロードされてキャッシュメモリに保存されている分割画像であるかどうかを判断し、既に保存されている分割画像については、それを読み出して該当するセルに当てはめる。また、Ｗｅｂブラウザ１２に保存されていない分割画像については、Ｗｅｂサーバ１０に対し該当する分割画像を要求する（Ｓ３）。Ｗｅｂサーバ１０は該要求に応じて、該当する分割画像データを送信する（Ｓ４）。Ｗｅｂブラウザ１２は該分割画像データを受け取り、該当するセルに当てはめる。このようにして、６×６個のセルに分割画像がそれぞれ当てはめられて（関連づけられて）、前記算出された位置にそれぞれ表示される（Ｓ５）。これにより、Ｗｅｂブラウザ１２の表示領域全体に、分割画像がつなぎ目なく表示されて、新聞紙面の画像が表示される。表示の一例を図５に示す（図５においてセルの境界線は仮想的に示したもので、実際の画面では表示されない。）。なお、閲覧開始当初は初期画面として、Ｗｅｂブラウザ１２から閲覧の指示をした新聞の第１ページの所定倍率（紙面の記事全体が見渡せるように比較的低い倍率）の分割画像をＷｅｂブラウザ１２がＷｅｂサーバ１０に要求して表示するように、Ｗｅｂサーバ１０から送信するＨＴＭＬが記述されている。
イ．引用発明及び技術事項
（ア）引用文献１に記載される発明
　上記ア（ア）の記載によれば、引用文献１には、インターネット接続可能なテレビ映像受信端末において、テレビ画面に表示されるネットワークを介して配信されるテレビ番組映像の任意のオブジェクト（映像物）を選択指定すると、年月日情報、時間情報、チャンネル情報、位置情報がオブジェクト要求としてサーバに送信され、サーバ側で、選択指定されたオブジェクトに係るオブジェクト情報を特定して、テレビ画面に出力表示させる技術が記載されており、テレビ映像受信端末は、ＲＡＭ、ＲＯＭ、ＣＰＵを備え、ＣＰＵがプログラムに基づく処理を行うことで各機能を実現するものであることが記載されている。
　よって、引用文献１には次の発明（以下、「引用発明１」という。）が記載されていると認められる。
（引用発明１）
　インターネット接続可能なテレビ映像受信端末であって、
　ＲＡＭ、ＲＯＭ、ＣＰＵを備え、
　プログラムに基づく処理を行うことで各機能を実現するＣＰＵであって、
　テレビ画面に表示されるネットワークを介して配信されるテレビ番組映像の任意のオブジェクト（映像物）の選択指定を受け、
　年月日情報、時間情報、チャンネル情報、位置情報をオブジェクト要求としてサーバに送信し、
　サーバ側で選択指定されたオブジェクトに係るオブジェクト情報を特定し、特定されたオブジェクト情報をテレビ画面に出力表示させる機能を実現するＣＰＵ
　を備えたテレビ映像受信端末。
（イ）引用文献２に記載される技術事項
　上記ア（イ）の記載によれば、引用文献２には、センタからインタラクティブＴＶシステム（インタラクティブＴＶ、パソコン）へ映像データを配信するビデオ・オン・デマンド（ＶＯＤ）システムにおいて、インタラクティブＴＶシステムの画面に表示される番組メニューで番組を選択すると、センタから、番組映像データ、番組に関連するＣＭ映像データ、ホームショッピング映像データ、番組映像と対応するＣＭ映像、ホームショッピング映像との対応関係を示す管理テーブルがインタラクティブＴＶシステムにデータ伝送され、それらのデータはインタラクティブＴＶシステムのメモリにデータ圧縮蓄積され、インタラクティブＴＶに再生され、表示画面で洋服（ジャケット）をマウスで指定すると、管理テーブルにより、マウスにより指定された座標位置がどのＣＭ対象物領域かを判定し、対応するＣＭ映像データを、番組を中断して番組と置き換えて表示する（フレームメモリ全域のビットマップデータをＣＭデータに置き換える）か、又は番組の一部分に表示する（フレームメモリ一部領域のビットマップデータをＣＭデータに置き換える）技術が記載されている。
（ウ）引用文献３に記載される技術事項
　上記ア（ウ）の記載によれば、引用文献３には、Ｗｅｂサーバから分割画像データをＷｅｂブラウザに送信する際に、分割画像データを＜ＤＩＶ＞タグで設定する技術が記載されている。
ウ．対比
　上記「１．補正の内容」の（補正後）の請求項１に示した補正発明１と、上記イ（ア）に示した引用発明１とを対比する。
　引用発明１の「ネットワークを介して配信されるテレビ番組映像」は、補正発明１の「ストリーミングビデオ」とは、ストリーミング形式で配信されるものであるとは特定されていない点で相違するが、『配信されるビデオ』である点で一致するものである。
　そして、引用発明１のテレビ映像受信端末は、『配信されるビデオ』の任意のオブジェクト（映像物）の選択指定を受けて、選択指定されたオブジェクトに係るオブジェクト情報をテレビ画面に出力表示させる機能を有するものであるから、補正発明１とは「配信されるビデオに関連する情報を決定するためのシステム」という点で一致する。
　また、引用発明１において、ＣＰＵが実行するプログラムは、ＣＰＵに接続されたメモリ（ＲＡＭ、ＲＯＭ）から提供されることは技術常識である。
　以上の事項を踏まえると、補正発明１と引用発明１との［一致点］及び［相違点］は以下のとおりである。
［一致点］
　配信されるビデオに関連する情報を決定するためのシステムであって、
　プロセッサであって、
　　前記配信されるビデオのオブジェクトに関するユーザ選択を受信し、
　　前記オブジェクトに関する前記ユーザ選択に応答して、
　　　前記オブジェクトに係るオブジェクト情報を特定し、
　　前記オブジェクト情報を提示するように構成されているプロセッサと、
　前記プロセッサに接続され、前記プロセッサに命令を提供するよう構成されているメモリと、
を備える、システム。
［相違点１］
　『配信されるビデオ』が、補正発明１では、「ストリーミングビデオ」であるのに対し、引用発明１では、ストリーミング形式で配信されるものであるとは特定されていない点。
［相違点２］
　『配信されるビデオのオブジェクト』が、補正発明１では、「ストリーミングビデオに関連する特徴フレームに埋め込まれているトリガポイント」であり、「前記トリガポイントは、選択された時に前記ストリーミングビデオの上に情報を表示させるよう構成された選択可能な要素を含み、前記トリガポイントは、前記ストリーミングビデオ内に表示される商品に関連付けられるように前記特徴フレームに埋め込まれており、前記特徴フレームは、少なくとも前記トリガポイントに関連付けられている前記ストリーミングビデオ内のフレームを含」むものであるのに対し、引用発明１では、そのようなものではない点。
［相違点３］
　補正発明１は、ユーザ選択に応答して、「前記ストリーミングビデオを一時停止させ」るものであるのに対し、引用発明は、そのようなものではない点。
［相違点４］
　『オブジェクトに係るオブジェクト情報を特定』することに関し、補正発明１は、「前記トリガポイントに関連付けられている事前設定されたメタデータのセットを取り出し、特定のソースにおいて、前記一時停止されたストリーミングビデオに関連する一時停止されているスクリーンを用いて画像ベース検索を実行することにより１または複数の検索結果を取得するために、前記トリガポイントに関連付けられている前記事前設定されたメタデータセットに含まれているコンピュータコードを実行」するものであるのに対し、引用発明は、そのようなものではない点。
［相違点５］
　『オブジェクト情報を提示する』ことに関し、補正発明１は、「前記１または複数の検索結果を含むポップアップレイヤを提示する」ものであるのに対し、引用発明は、そのようなものではない点。
ウ．判断
　上記相違点について検討する。
［相違点１について］
　ネットワークを介してビデオを配信する技術において、ビデオをストリーミング形式で配信することは周知の技術であり、『配信するビデオ』を相違点１に係る「ストリーミングビデオ」とすることは、当業者が容易になし得ることである。
［相違点２について］
　上記イ（イ）及び（ウ）に示したように、引用文献２及び引用文献３には、ストリーミングビデオに関連する特徴フレームに、ビデオの映像とは別のトリガポイントを埋め込み、そのトリガポイントにストリーミングビデオ内に表示される商品が関連付けられるという技術思想は、開示も示唆もされていない。
　よって、相違点２は、引用発明１、引用文献２及び引用文献３に記載される技術から、当業者が容易になし得るものではない。
　さらに、前置報告において追加提示された引用文献４（特開平１０−２５７４５５号公報）及び引用文献５（特開２００３−２５９３３６号公報）について検討すると、引用文献４には、段落００１９〜００２２，００５０，００５１に、ＴＶの画面に表示されている映像に関連したＷＷＷサイトのＵＲＬをエンコードした信号がビデオ信号のＶＢＩに重畳されており、マウスのボタンのクリックやリモコンのアクセス用キーの操作によりＷＷＷサイトにアクセスするＴＶにおいて、ディスプレイの画面にＵＲＬ情報が伝送されていることを示すポインターを表示する技術が記載されている。
　また、引用文献５には、段落００２１〜００２４，００４８，０１２２，０１２３，０１３０，０１３１に、映像プログラムの各シーンの有意の画像オブジェクトについて、仮想的な画面上に画像オブジェクトの領域と同じ領域をインデックスオブジェクトとして設定し、インデックスオブジェクトが設定された画像オブジェクトに副情報（サブコンテンツ）を付加し、視聴者がリモートコマンダの操作により映像オブジェクトをポインティングすると、副情報をオンスクリーン表示する技術が記載されている。
　しかしながら、これらの技術は、ストリーミングビデオに関連する特徴フレームに、ビデオの映像とは別のトリガポイントを埋め込み、そのトリガポイントにストリーミングビデオ内に表示される商品が関連付けられるという技術ではなく、引用文献４及び引用文献５に記載される技術から、相違点２に係る構成を導き出すことは、当業者が容易になし得るものではない。
［相違点３について］
　引用文献２には、上記イ（イ）に示したように、インタラクティブＴＶシステムの表示画面で洋服（ジャケット）をマウスで指定すると、対応するＣＭ映像データを、番組を中断して番組と置き換えて表示する技術が記載されており、引用発明１において、オブジェクトの選択に応答して、オブジェクト情報を表示する際に、配信されるテレビ番組映像を一時停止させ、相違点２に係る構成を採用することは、当業者が容易に想到し得ることといえる。
［相違点４について］
　上記イ（イ）及び（ウ）に示したように、引用文献２及び引用文献３には、オブジェクトに関連する情報をメタデータに記述し、メタデータ内のコンピュータコードに基づき、一時停止されたスクリーンを用いた画像ベース検索を実行するという技術思想は、開示も示唆もされていない。
　よって、相違点４は、引用発明１、引用文献２及び引用文献３に記載される技術から、当業者が容易になし得るものではない。
　さらに、前置報告において追加提示された引用文献４及び引用文献５ついて検討すると、上記［相違点２について］において認定したように、引用文献４及び引用文献５には、オブジェクトに関連する情報をメタデータに記述し、メタデータ内のコンピュータコードに基づき、一時停止されたスクリーンを用いた画像ベース検索を実行するという技術は記載されておらず、引用文献４及び引用文献５に記載される技術から、相違点４に係る構成を導き出すことは、当業者が容易になし得るものではない。
［相違点５について］
　引用文献２には、上記イ（イ）に示したように、インタラクティブＴＶシステムの表示画面で洋服（ジャケット）をマウスで指定すると、対応するＣＭ映像データを、番組の一部分に表示する技術が記載されており、引用発明１において、オブジェクトの選択に応答して、オブジェクト情報を表示する際に、画面の一部分にポップアップの形態でオブジェクト情報（検索した結果）を表示することとし、相違点５に係る構成を採用することは、当業者が容易に想到し得ることといえる。
　以上のように、相違点２及び相違点４は、引用文献２ないし５に記載の技術から当業者が容易になし得るものではなく、補正発明１は、引用発明１、及び、引用文献２ないし５に記載の技術に基づいて、当業者が容易に発明をすることができたとはいえない。
（２−２）補正発明２ないし２１について
　補正発明１と同様の技術事項を備える補正発明１３，２１、補正発明１を引用する補正発明２ないし１２、及び、補正発明１３を引用する補正発明１４ないし２０は、補正発明１と同様に、引用発明１、及び、引用文献２ないし５に記載の技術に基づいて、当業者が容易に発明をすることができたとはいえない。
（２−３）まとめ
　以上のことから、補正発明１ないし２１は、特許法第１７条の２第６項において準用する同法第１２６条第７項の規定に適合する。
３．むすび
　本件補正は、特許法第１７条の２第３項ないし第６項の規定に適合する。
第３．本願発明
　本件補正は上記のとおり、特許法第１７条の２第３項ないし第６項の規定に適合するから、本願の請求項１ないし２１に係る発明は、本件補正により補正された特許請求の範囲の請求項１ないし２１に記載された事項により特定されるとおりのものである。
　そして、本件補正後の請求項１ないし２１に記載された発明は、上記「第２．平成２７年７月２４日付けの手続補正の適否」の「２．補正の適否」の「（２）独立特許要件について」に示したとおり、当業者が引用文献１ないし５に基づいて容易に発明をすることができたものではない。
　したがって、本願については、原査定の拒絶理由を検討してもその理由によって拒絶すべきものとすることはできない。
　また、他に本願を拒絶すべき理由を発見しない。
　よって、結論のとおり審決する。